(57)【要約】【課題】電気工事を行う必要がなく、既設の壁スイッチに簡単に装着でき、且つリモコンにより壁スイッチの電力の供給のオン操作又はオフ操作を遠隔制御することのできるスイッチアダプタ及びこのスイッチアダプタを用いた照明制御システムを提供する。【解決手段】本発明のスイッチアダプタ２は、照明器具の電力をオン状態又はオフ状態に切り換えるための壁スイッチ５に着脱自在に取付可能な本体部１２と、この本体部１２内に設けられ、リモコン４からの制御信号を受信する受信アンテナ７及び無線通信部８と、電源部９からの電力が供給され、壁スイッチ５のスイッチ部６に接触又は非接触可能に本体部１２内部に設けられ、スイッチ部６に接触するように駆動することで壁スイッチ５をオン状態又はオフ状態となるように操作する壁スイッチ操作部１０と、無線通信部８により受信した制御信号に基づき、壁スイッチ操作部１０を駆動制御する制御部１１とを有している。【選択図】図１
2009043664.tif 000002
【特許請求の範囲】
【請求項１】
照明器具の電力をオン状態又はオフ状態に切り換えるための壁スイッチに着脱自在に取付可能な本体部と；
前記本体部内に設けられるともに電源部からの電力が供給され、リモコンからの制御信号を受信する受信部と；
前記電源部からの電力が供給されるとともに、前記壁スイッチに対向配置され且つ前記壁スイッチに接触又は非接触可能に前記本体部内部に設けられ、前記壁スイッチに接触するように駆動することで前記壁スイッチをオン状態又はオフ状態となるように操作する壁スイッチ操作部と；
前記受信部により受信した制御信号に基づき、前記壁スイッチ操作部を駆動制御する制御部と；
を具備したことを特徴とするスイッチアダプタ。
【請求項２】
前記スイッチ操作部は、前記壁スイッチと接触する接触面が円弧状に形成された係合部と、この係合部を回動可能に取り付けて回動させるように駆動する駆動部とを有し、
前記係合部は、前記駆動部により回動されることによって前記壁スイッチに接触又は非接触が可能であることを特徴とする請求項１に記載のスイッチアダプタ。
【請求項３】
照明器具と；
前記照明器具の電力をオン状態又はオフ状態に切り換えるための壁スイッチと；
前記壁スイッチに着脱自在に取付可能な本体部と、前記本体部内に設けられるともに電源部からの電力が供給され、リモコンからの制御信号を受信する受信部と、前記電源部からの電力が供給されるとともに、前記壁スイッチに対向配置され且つ前記壁スイッチに接触又は非接触可能に前記本体部内部に設けられ、前記壁スイッチに接触するように駆動することで前記壁スイッチをオン状態又はオフ状態となるように操作する壁スイッチ操作部と、前記受信部により受信した制御信号に基づき、前記壁スイッチ操作部を駆動制御する制御部とを有するスイッチアダプタと；
を具備したことを特徴とする照明制御システム。
【発明の詳細な説明】
【技術分野】
【０００１】
本発明は、照明器具をオン又はオフ状態に切り換える壁スイッチに、着脱自在に取り付けられリモコンからの無線信号を受信し、壁スイッチを操作するスイッチアダプタ及びこのスイッチアダプタを用いた照明制御システムに関する。
【背景技術】
【０００２】
近年、住宅用照明器具においては、リモコンからの無線信号により遠隔制御可能な照明器具が普及している。
【０００３】
このような照明器具は、リモコンからの無線信号により、明るさ及び点灯又は消灯等の遠隔制御が可能である。また、前記照明器具は、一般に、この照明器具が施工された室内の壁等に設けられた壁スイッチによって、電力供給のオン操作又はオフ操作がなされて照明器具を点灯状態又は消灯状態に切り換えている。
【０００４】
このようなリモコンを有する照明器具に関する従来の関連技術としては、例えば、特許文献１に記載のものがある。  
特許文献１には、リモコン機能を搭載しない既設の照明器具でも、電気工事することなくリモコンによる遠隔操作を可能にするために、照明器具と、この照明器具に屋内配線からの電力を供給するための引掛シーリング部材との間に設置され、リモコンからの制御信号に基づき前記照明器具への電力供給をオン操作又はオフ操作するスイッチ部を有する照明器機器コネクタに関する技術が開示されている。
【０００５】
また、前記特許文献１の他に、リモコン機能を搭載しない既設の照明器具でもリモコンによる遠隔操作を可能にするための別の手段が前記特許文献２によって提案されている。
【０００６】
この特許文献２には、既設の壁スイッチに代えて取り付けるだけで、既設の照明器具をリモコンによって遠隔操作が可能となるワイヤレススイッチに関する技術が開示されている。
【特許文献１】特開２００７ー１２２９９３号公報
【特許文献２】特開平１１ー０１６６８３号公報
【発明の開示】
【発明が解決しようとする課題】
【０００７】
リモコンからの無線信号により遠隔制御可能の従来の照明器具では、使用者が壁スイッチを操作することなく、リモコンによる遠隔制御によって壁スイッチにおける電力の供給のオン又はオフを切り換えて、使い勝手を向上させることが望まれている。
【０００８】
しかしながら、前記特許文献１に記載の従来技術では、前記スイッチ部を設けたことで、リモコン機能のない既設の照明器具に対してリモコンによる遠隔制御によって電力供給のオン又はオフ操作することができるが、このリモコンは前記スイッチ部を介して前記照明器具に対して遠隔制御を行うものであって、前記壁スイッチとはなんら電気的に接続されてないことから、このリモコンで前記壁スイッチによる電力の供給をオン又はオフ操作することができない。つまり、この壁スイッチがオフ状態である場合には、リモコンによってスイッチ部を介して照明器具の遠隔制御を行うことができないといった不都合があった。
【０００９】
また、前記特許文献１に記載の従来技術では、前記壁スイッチを前記ワイヤレススイッチに交換すれば、前記不都合を解消することはできるが、前記ワイヤレススイッチを交換するためには電気工事を行う必要があるといった不都合があった。
【００１０】
そこで、本発明は前記問題点に鑑みてなされたもので、電気工事を行う必要がなく、既設の壁スイッチに簡単に装着でき、且つリモコンにより壁スイッチの電力の供給のオン操作又はオフ操作を遠隔制御することのできるスイッチアダプタ及びこのスイッチアダプタを用いた照明制御システムを提供することを目的とする。
【課題を解決するための手段】
【００１１】
請求項１の発明のスイッチアダプタは、照明器具の電力をオン状態又はオフ状態に切り換えるための壁スイッチに着脱自在に取付可能な本体部と；前記本体部内に設けられるともに電源部からの電力が供給され、リモコンからの制御信号を受信する受信部と；前記電源部からの電力が供給されるとともに、前記壁スイッチに対向配置され且つ前記壁スイッチに接触又は非接触可能に前記本体部内部に設けられ、前記壁スイッチに接触するように駆動することで前記壁スイッチをオン状態又はオフ状態となるように操作する壁スイッチ操作部と；前記受信部により受信した制御信号に基づき、前記壁スイッチ操作部を駆動制御する制御部と；を具備している。
【００１２】
請求項２の発明のスイッチアダプタは、請求項１に記載のスイッチアダプタにおいて、前記スイッチ操作部は、前記壁スイッチと接触する接触面が円弧状に形成された係合部と、この係合部を回動可能に取り付けて回動させるように駆動する駆動部とを有し、前記係合部は、前記駆動部により回動されることによって前記壁スイッチに接触又は非接触が可能であることを特徴とする。
【００１３】
請求項３の発明の照明制御システムは、照明器具と；前記照明器具の電力をオン状態又はオフ状態に切り換えるための壁スイッチと；前記壁スイッチに着脱自在に取付可能な本体部と、前記本体部内に設けられるともに電源部からの電力が供給され、リモコンからの制御信号を受信する受信部と、前記電源部からの電力が供給されるとともに、前記壁スイッチに対向配置され且つ前記壁スイッチに接触又は非接触可能に前記本体部内部に設けられ、前記壁スイッチに接触するように駆動することで前記壁スイッチをオン状態又はオフ状態となるように操作する壁スイッチ操作部と、前記受信部により受信した制御信号に基づき、前記壁スイッチ操作部を駆動制御する制御部とを有するスイッチアダプタと；を具備している。
【００１４】
尚、請求項１から請求項３の発明において、前記電源部は、バッテリィや電池等のスイッチアダプタ内部に設けられたものが望ましいが、これに限定されることはなく、スイッチアダプタの外部に配置された外部電源から電力の供給を行っても良い。例えばＡＣコンセントコードを用いて屋内配線に接続されたＡＣコンセントを介してスイッチアダプタの電力供給を行っても良い。
【００１５】
また、壁スイッチとしては、押圧することでオン又はオフ操作可能であれば、どのような構成であっても良い。尚、「壁スイッチに接触する」とは、オン又はオフ操作が可能であれば、壁スイッチのどの部位に接触しても良いという意味を含む。
【発明の効果】
【００１６】
請求項１の発明によれば、電気工事を行う必要がなく、既設の壁スイッチに簡単に装着でき、且つリモコンにより壁スイッチの電力の供給のオン操作又はオフ操作を遠隔制御することのできるスイッチアダプタを提供することができる。
【００１７】
請求項２の発明によれば、請求項１の発明と同様の効果が得られる他に、前記係合部を駆動部により回動されることによって前記スイッチに接触又は非接触が可能となるように構成しているため、リモコン操作で物理的に壁スイッチのオン操作又はオフ操作を行うことができる。
【００１８】
請求項３の発明によれば、請求項１及び請求項２の発明のスイッチアダプタを用いて照明制御システムを構成しているので、簡単な構成のため、システム全体のコストを安価にでき、また、施工工程も簡素化できる。さらに、使用者にとっても大変使い勝手の良い照明制御システムを提供することができる。
【発明を実施するための最良の形態】
【００１９】
以下、図面を参照して本発明の実施の形態を説明する。
【００２０】
（一実施の形態）
図１から図６は本発明の一実施の形態に係り、図１は一実施の形態のスイッチアダプタを有する照明制御システムの全体構成を示す構成図、図２は図１のスイッチアダプタ内の壁スイッチ操作部の構成を説明するためスイッチアダプタを上から見た場合の断面図、図３及び図４は図１のアダプタスイッチを壁スイッチに取り付ける際の取付方法を説明するための説明図で、図３は既設の壁スイッチからスイッチカバーを取り外す工程を示し、図４はスイッチカバーを取り外した壁スイッチの固定枠にスイッチアダプタを取り付ける工程を示している。また、図５及び図６は図２の壁スイッチ操作部によるスイッチ動作を説明するための説明図で、図５はリモコンにより壁スイッチをオン操作した場合の壁スイッチ操作部の動作状態を示し、図６はリモコンにより壁スイッチをオフ操作した場合の壁スイッチ操作部の動作状態を示している。
【００２１】
図１に示すように、本実施の形態の照明制御システム１は、本発明が適用されるスイッチアダプタ２と、リモコン４からの制御信号に基づき遠隔操作可能な照明器具３と、前記照明器具３及び前記スイッチアダプタ２を遠隔操作可能なリモコン４と、前記照明器具３の電力をオン状態又はオフ状態に切り換えるための壁スイッチ５とを有して構成されている。
【００２２】
照明器具３は、屋内の例えば天井面５０に配設される。この照明器具３は、リモコン４からの制御信号に基づき遠隔操作される。但し、照明器具３は、リモコン４の無線信号を受信しない構成であっても良い。  
リモコン４は、図示はしないが、照明器具３専用の第１の操作ボタンと、スイッチアダプタ２専用の第２の操作ボタンとを有している。そして、リモコン４は、図示しない第１の操作ボタンを適宜操作することにより、照明器具３の明るさ及び点灯又は消灯等の遠隔制御を行う。また、リモコン４は、図示しない第２の操作ボタンを適宜操作することにより、壁スイッチ５の電力供給のオン操作又はオフ操作を物理的に行うように遠隔制御可能である。
【００２３】
また、壁スイッチ５は、屋内の壁５１に配設されている。この壁スイッチ５は、図示はしないが屋内配線と照明器具３とに有線を介して電気的に接続されるスイッチ部６を有している。
【００２４】
そして、この壁スイッチ５は、スイッチ部６を左右どちらかに押下することで、屋内配線からの電力の供給のオン操作又はオフ操作がなされて、照明器具３を点灯状態又は消灯状態に切り換えることが可能である。
【００２５】
次に、スイッチアダプタ２の具体的な構成について、図１及び図２を参照しながら説明する。  
図１に示すように、スイッチアダプタ２は、壁スイッチ５に着脱自在に取付可能な本体部１２と、この本体部１２に取り付けられ、リモコン４からの制御信号を受信する受信アンテナ７と、本体部１２内に設けられるともに電源部９からの電力が供給され、受信アンテナ７により受信した制御信号を取り込む無線通信部８と、スイッチアダプタ２の駆動電源である電源部９と、この電源部９からの電力が供給されるとともに、壁スイッチ５のスイッチ部６に接触するように駆動することで壁スイッチ５のスイッチ部６をオン状態又はオフ状態となるように操作する壁スイッチ操作部１０と、無線通信部８により受信した制御信号に基づき、壁スイッチ操作部１０を駆動制御する制御部１１とを有して構成されている。
【００２６】
尚、前記受信アンテナ７及び前記無線通信部８は、前記受信部８ａを構成しており、受信アンテナ７は無線通信部８と一体又は別体として、本体部１２の内部に収容される構成でも良い。また、前記壁スイッチ操作部１０は、前記スイッチ操作部を構成している。
【００２７】
電源部９は、例えば充電可能なバッテリィや電池等で構成され、スイッチアダプタ２全体を駆動するのに必要な電力を備えている。そして、電源部９は、電力を、無線通信部８、壁スイッチ操作部１０及び制御部１１に供給する。
【００２８】
尚、電源部９は、バッテリィや電池等のスイッチアダプタ内部に設けられたものに限定されることはなく、スイッチアダプタ２の外部に配置された外部電源から電力の供給を行っても良い。例えばＡＣコンセントコードを用いて屋内配線に接続されたＡＣコンセントを介してスイッチアダプタ２の電力供給を行っても良い。
【００２９】
無線通信部８は、受信アンテナ７により受信した制御信号を取り込み処理して制御部１１に送信する。
【００３０】
制御部１１は、無線通信部８から送信された制御信号に基づく制御パルス信号を生成すると同時に、この生成した制御パルス信号に基づき、壁スイッチ操作部１０を駆動制御する。
【００３１】
ここで、壁スイッチ操作部１０の具体的な構成を、図２を参照しながら説明する。  
図２に示すように、壁スイッチ操作部１０は、電源部９（図示しない）からの電力が供給されるとともに、壁スイッチ５のスイッチ部６に対向配置され且つスイッチ部６に接触又は非接触可能に本体部１２内部に設けられ、スイッチ部６に接触するように駆動することで壁スイッチ５をオン状態又はオフ状態となるように操作する。
【００３２】
具体的には、壁スイッチ操作部１０は、壁スイッチ５のスイッチ部６と接触する接触面１８が円弧状に形成された係合部１７を有する回動部材１５と、この回動部材１５を回動可能に取り付けて回動させるように駆動する駆動部１４とを有し、この回動部材１５の係合部１７は、駆動部１４により回動されることによってスイッチ部６に接触又は非接触が可能となるように構成されている。
【００３３】
駆動部１４としては、例えば制御パルス信号のパルス幅で動作角の変更が可能なＲＣサーボモータが用いられている。このＲＣサーボモータ１４は、例えば図２に示すように、動作角が０゜から１５０゜までの範囲内で変更が可能な特性を有している。勿論、ＲＣサーボモータ１４は、このような特性に限定されるものではなく、前記係合部１７の接触によりスイッチ部６をオン状態又はオフ状態にさせるものであればいずれの特性のものでも良い。
【００３４】
ＲＣサーボモータ１４は、本体部１２内の所定箇所に配設される。そして、ＲＣサーボモータ１４の駆動軸１４ａには、回動部材１５の係合部１７を回動させるための回動軸１６が軸支されている。つまり、回動部材１５は、回動軸１６と係合部１７とが一体的に構成され、係合部１７が回動軸１６の基端側に設けられた構成となっている。
【００３５】
係合部１７は、壁スイッチ５のスイッチ部６と接触する接触面１８が円弧状に形成されている。また、係合部１７の接触面１８の一方（図２中下側部分）には、壁スイッチ５のスイッチ部６がオン状態となる際に接触する第１の接触部１８ａが設けられている。また、係合部１７の接触面１８の他方（図２中上側部分）には、壁スイッチ５のスイッチ部６がオフ状態となる際に接触する第２の接触部１８ｂが設けられている。
【００３６】
尚、係合部１７の接触面１８は、前記第１、第２の接触部１８ａ、１８ｂを含めて全体が円弧状に形成されているので、回動部材１５が回動する場合に、円滑にスイッチ部６と接触しながら摺動することが可能となる。但し、両端に滑らかな曲線状の接触部を有していれば、係合部１７全体の形状は特に限定しなくても良い。
【００３７】
また、回動部材１５及び係合部１７は、例えば樹脂部材又は金属部材で構成されているが、前記スイッチ部６と接触してオフ状態又はオン状態にすることが可能であれば、それ以外の部材を用いて構成しても良い。
【００３８】
さらに、前記回動部材１５は、回動軸１６の基端部がＲＣサーボモータ１４の駆動軸１４ａに軸支されているが、回動軸１６の長さを変更できるような、回動軸１６を駆動軸１４ａに固定する軸支固定手段を設けても良い。  
この場合、このような軸支固定手段を設けて回動軸１６の長さ、すなわち、駆動軸１４ａと係合部１７との長さを変更可能とすることで、壁スイッチ５のスイッチ部６と係合部１７の接触面１８との最適な接触圧が得られるように調整することが可能となる。そのため、係合部１７による接触摺動動作が円滑となる他に、確実にスイッチ部６を操作することが可能となる。
【００３９】
次に、このようなスイッチアダプタ２の壁スイッチ５への取付方法を、図３及び図４を参照しながら説明する。  
通常、既設の壁スイッチ５には、スイッチ部６を挿通させるための開口５Ｂを有するスイッチカバ５Ａが取り付けられている。そのため、作業者は、スイッチアダプタ２を壁スイッチ５に取り付ける前に、図３に示すように、スイッチカバ５Ａを取り外す。
【００４０】
すると、スイッチカバ５Ａを取り外すと、壁スイッチ５は、図３に示すように、壁５１の取付孔内に取り付けられた固定枠５ａ及びスイッチ部６が露出することになる。
【００４１】
この場合、壁スイッチ５の固定枠５ａは、壁５１の取付孔内に嵌装して固定されている。
【００４２】
そして、この固定枠５ａの上下部分には、固定部２０のネジ孔２０ａ（図４参照）が設けられており、これらのネジ孔２０ａにネジ２１を螺合することによってスイッチ部６を有する本体部分を固定枠５ａに固定されるようになっている。
【００４３】
その後、作業者は、前記したようにスイッチ部６の本体部分を固定してるネジ２１をそれぞれ外した後、スイッチアダプタ２の本体部１２を、図４に示すように固定枠５ａ上に重ねるように配置する。
【００４４】
このスイッチアダプタ２の本体部１２には、図４に示すように、前記固定枠５ａの固定部２０の位置に対応するように固定部２２がそれぞれ形成されている。また、これらの固定部２２には、ネジ２１を螺合するためのネジ孔２２ａがそれぞれ設けられている。
【００４５】
そして、作業者は、外したネジ２１を、固定部２２のネジ孔２２ａ、スイッチ部６の固定部２０のネジ孔２０ａを介して螺合する。ネジ２１による螺合は、それぞれ上下の固定部２２のネジ孔２２ａとそれぞれの固定部２０のネジ孔２０ａとに対して行う。
【００４６】
これにより、壁スイッチ操作部１０が壁スイッチ５のスイッチ部６に対向配置され且つスイッチ部６に接触又は非接触可能となるように、スイッチアダプタを固定枠５ａに固定することが可能となる。
【００４７】
すなわち、新たに固定部材等を用いずとも、既存のネジ２１、固定枠５ａ及び固定部２０を用いることで、コストもかからず、スイッチアダプタ２を簡単に壁スイッチ５に取り付けることが可能となる。勿論、電気工事も必要としない。
【００４８】
次に、このようなスイッチアダプタ２の作用を図５及び図６を参照しながら説明する。
【００４９】
尚、壁スイッチ５のスイッチ部６は、図２に示すように電力供給がオフ状態になっているものとする。
【００５０】
いま、使用者は、リモコン４の図示しない第２の操作ボタンを操作して、壁スイッチ５の電力供給のオン操作を行うように遠隔制御するものとする。
【００５１】
すると、リモコン４は、壁スイッチ５の電力供給のオン操作を示す制御信号をスイッチアダプタ２に対して送信する。
【００５２】
そして、この制御信号は、スイッチアダプタ２の受信アンテナを介して無線通信部８により受信される。この無線通信部８は、受信アンテナ７により受信した制御信号を取り込み処理して制御部１１に送信する。
【００５３】
制御部１１は、無線通信部８から送信された制御信号に基づく制御パルス信号を生成すると同時に、この生成した制御パルス信号に基づき、壁スイッチ操作部１０を駆動制御する。
【００５４】
この場合、壁スイッチ操作部１０のＲＣサーボモータ１４は、制御パルス信号に基づき、回動部材１５が図２中に示す０゜から図２中の矢印Ａ方向に回動するように駆動される。
【００５５】
すると、回動部材１５の係合部１７は、図２に示すように、第１の接触部１８ａ近傍がスイッチ部６の操作面（上面）に接触する。このときの回動部材１５の動作角（ＲＣサーボモータ１４の動作角）は、例えば６０゜であり、第１の接触部１８ａのスイッチ部６に対する接触圧は、Ｆ１となる。
【００５６】
引き続き、制御部１１は、制御パルス信号に基づき、ＲＣサーボモータ１４を駆動制御する。すると、回動部材１５の図２中の矢印Ａ方向への回動に伴い、係合部１７は、図３に示す接触状態からさらにスイッチ部６の操作面（上面）を接触しながら摺動し、図３中に示す１５０゜の動作角まで回動する。
【００５７】
この場合、係合部１７の接触面１８は、円弧形状に形成されているので、スイッチ部６の操作面（上面）上の摺動動作が円滑であり、また、スイッチ部６に対する接触圧も小さいものとなる。
【００５８】
したがって、回動部材１５が図３に示す動作角６０゜から１５０゜まで回動することにより、係合部１７は、第１の接触部１８ａを介して接触面１８による接触圧により、スイッチ部６のオン操作部６ａを押し下げることになる。
【００５９】
その結果、壁スイッチ５のスイッチ部６を、スイッチアダプタ２により物理的にオン状態に操作することができ、照明器具３に対する電力の供給がオン状態となる。
【００６０】
次に、壁スイッチ５のスイッチ部６のオフ操作時の作用について説明する。  
いま、使用者は、リモコン４の図示しない第１の操作ボタンを操作して、壁スイッチ５の電力供給のオフ操作を行うように遠隔制御するものとする。
【００６１】
すると、リモコン４は、壁スイッチ５の電力供給のオフ操作を示す制御信号をスイッチアダプタ２に対して送信する。
【００６２】
そして、この制御信号は、スイッチアダプタ２の受信アンテナを介して無線通信部８により受信される。この無線通信部８は、受信アンテナ７により受信した制御信号を取り込み処理して制御部１１に送信する。
【００６３】
制御部１１は、無線通信部８から送信された制御信号に基づく制御パルス信号を生成すると同時に、この生成した制御パルス信号に基づき、壁スイッチ操作部１０を駆動制御する。
【００６４】
この場合、壁スイッチ操作部１０のＲＣサーボモータ１４は、制御パルス信号に基づき、回動部材１５が図４中に示す１５０゜から図４中の矢印Ｂ方向に回動するように駆動される。
【００６５】
すると、回動部材１５の係合部１７は、図４に示すように、第２の接触部１８ｂ近傍がスイッチ部６の操作面（上面）に接触する。このときの回動部材１５の動作角（ＲＣサーボモータ１４の動作角）は、例えば９０゜であり、第２の接触部１８ｂのスイッチ部６に対する接触圧は、Ｆ２となる。
【００６６】
引き続き、制御部１１は、制御パルス信号に基づき、ＲＣサーボモータ１４を駆動制御する。すると、回動部材１５の図４中の矢印Ｂ方向への回動に伴い、係合部１７は、図４に示す接触状態からさらにスイッチ部６の操作面（上面）を接触しながら摺動し、図４中に示す０゜の動作角まで回動する。
【００６７】
この場合、係合部１７の接触面１８は、円弧形状に形成されているので、前記オン操作時と同様に、スイッチ部６の操作面（上面）上の摺動動作が円滑であり、また、スイッチ部６に対する接触圧も小さいものとなる。
【００６８】
したがって、回動部材１５が図４に示す動作角９０゜から０゜まで回動することにより、係合部１７は、第２の接触部１８ａを介して接触面１８による接触圧により、スイッチ部６のオフ操作部６ｂを押し下げることになる。
【００６９】
その結果、壁スイッチ５のスイッチ部６を、スイッチアダプタ２により物理的にオフ状態に操作することができ、照明器具３に対する電力の供給がオフ状態となる。
【００７０】
尚、回動部材１５を回動させるＲＣサーボモータ１４は、その動作角が制御パルス信号のパルス幅で決定される。そのため、制御部１１によって、その制御パルス信号のパルス幅を適宜調整すれば、回動部材の動作角を自在に制御することも可能である。
【００７１】
また、ＲＣサーボモータ１４は、係合部１７の接触面１８のスイッチ部６の操作面（上面）における接触圧（接触圧Ｆ１、Ｆ２も含む）があっても、回動部材１５の係合部１７が十分摺動可能なトルクを有していることが望ましい。
【００７２】
従って、本実施の形態によれば、電気工事を行う必要がなく、既設の壁スイッチ５に簡単に装着でき、且つリモコン４により壁スイッチ５の電力の供給のオン操作又はオフ操作を遠隔制御することのできるスイッチアダプタ２及びこのスイッチアダプタ２を有する照明制御システムを提供することができる。
【００７３】
以上の実施の形態に記載した発明は、その実施の形態に限ることなく、その他、実施段階ではその要旨を逸脱しない範囲で種々の変形を実施し得ることが可能である。さらに、前記実施の形態には、種々の段階の発明が含まれており、開示される複数の構成要件における適宜な組合せにより種々の発明が抽出され得る。
【００７４】
例えば、実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００７５】
【図１】本発明の一実施の形態のスイッチアダプタを有する照明制御システムの全体構成を示す構成図。
【図２】図１のスイッチアダプタ内の壁スイッチ操作部の構成を説明するためスイッチアダプタを上から見た場合の断面図。
【図３】アダプタスイッチを壁スイッチに取り付ける際の取付方法を説明するもので、既設の壁スイッチからスイッチカバーを取り外す工程を示す説明図。
【図４】アダプタスイッチを壁スイッチに取り付ける際の取付方法を説明するもので、スイッチカバーを取り外した壁スイッチの固定枠にスイッチアダプタを取り付ける工程を示す説明図。
【図５】壁スイッチ操作部によるスイッチ動作を説明するもので、リモコンにより壁スイッチをオン操作した場合の壁スイッチ操作部の動作状態を示す説明図。
【図６】壁スイッチ操作部によるスイッチ動作を説明するもので、リモコンにより壁スイッチをオフ操作した場合の壁スイッチ操作部の動作状態を示す説明図。
【符号の説明】
【００７６】
１…照明制御システム、
２…スイッチアダプタ、
３…照明器具、
５…壁スイッチ、
６…スイッチ部、
８ａ…受信部、
１０…壁スイッチ操作部、
１１…制御部、
１２…本体部、
１４…駆動部。
【図１】
2009043664.tif 000003
【図２】
2009043664.tif 000004
【図３】
2009043664.tif 000005
【図４】
2009043664.tif 000006
【図５】
2009043664.tif 000007
【図６】
2009043664.tif 000008